(57)【要約】  水辺の海岸線近くの陸地にある洪水用バリアアセンブリは、能動的に起立させて陸地の洪水を防止する連続したバリアにできる隣接するパネルを有する。一構成では、パネルの一方の側面は接触面であり、他方の側面はガスケットを保持する。パネルは連続して起立され、最初に起立されるパネルは、二番目に起立される隣接するパネルのガスケットへの接触面を呈する。別の構成では、接触面は、両側面にガスケットを有する隣接するパネルに分離される２つのパネルの対向する側面にある。離間された第１のパネルは第２のパネルの前に起立される。起立されるパネルは直線状又は曲線状に配列されるか又は直線状及び曲線状の配列の組み合わせである。いずれの構成及び起立する順番は、隣接するパネルの間のガスケットによってパネルとパネルとがシールされた洪水用バリア壁を起立する。
2021511455.tif 000002
【特許請求の範囲】
【請求項１】
水辺の海岸線近くの陸地に配置される複数の洪水用バリアアセンブリを含む装置であって、各アセンブリは、
前記陸地内又は前記陸地上に位置する少なくとも1つの支持パンと、
複数の隣接するパネルであって、各パネルは、上面、底面、前端、後端及び側面を含み、該側面は、前記海岸線に対して仮想投射交差角度を有し、該パネルの後端から少なくとも前端近くに及ぶ長さを有し、該パネルは、下げられた位置にある場合に前記支持パン内にあり、前記パンから直立起立位置へと上方に回転されるために、該パネルの後端で実質的に水平な第1の回転軸上でヒンジ回転可能であり、該直立起立位置にある場合、該パネルの底面で侵入する洪水が食い止められ、
前記隣接するパネルは、（ｉ）第１の構成、（ｉｉ）第２の構成又は（ｉｉｉ）第３の構成のいずれかを有し、前記第１の構成にある場合、一方のパネルが、（ａ）他方のパネルに隣接するパネル側面に取り付けられるガスケットであって、該ガスケットは該パネル側面の長さに沿う、ガスケットと、（ｂ）該ガスケットが取り付けられる側面とは別の他方の側面にある接触面であって、該接触面は他方の側面の長さに及ぶ、接触面とを有し、前記第２の構成にある場合、第１のパネルは、該第１のパネルに隣接する２つのパネルを分離し、該２つのパネルは、前記第１のパネルに隣接する少なくとも１つの側面に接触面を有し、該接触面は該側面の長さに及び、前記第１のパネルはその側面のそれぞれに取り付けられるガスケットを有し、該ガスケットは該ガスケットが取り付けられる側面の長さに及び、前記第３の構成は、前記第１の構成の１つ以上のパネルと、前記第２の構成の１つ以上のパネルとの組み合わせを含み、
前記複数の隣接するパネルは、前記直立位置に起立された場合に、前記パネルの前面側で前記陸地の洪水を防止する一連の水バリアを提供する、装置。
【請求項２】
前記複数の隣接するパネルの各端部に隣接する陸地に固定される直立構造であって、該直立構造は、前記隣接するパネルが前記直立位置にある場合に該直立構造に隣接するパネルと同じ高さの接触面を有し、前記直立構造に隣接するパネルの側面は、前記直立構造の接触面とシール接触するためのガスケットを取り付ける、請求項１に記載の装置。
【請求項３】
少なくとも１つの張力部材が、前記支持パン及び各パネルの底面に接続され、該張力部材は、起立された前記パネルの底面側で食い止められる水の静水圧が加えられた場合に、前記パネルが直立位置を越えて回転するのを防止する、請求項１に記載の装置。
【請求項４】
各パネルの上面は、前記パネルが前記支持パン内で前記下げられた位置にある場合に、前記陸地の地面に対して実質的に水平に配置されて、前記パン内にある場合に通行面を提供する、請求項１に記載の装置。
【請求項５】
前記パネルの上面は、前記支持パンが位置する前記陸地の地面と実質的に同一平面にある、請求項４に記載の装置。
【請求項６】
パネルの側面における前記接触面は、前記上面から前記側面の上を越えて延びる、前記上面と実質的に同一平面上にある延長部か又は前記側面から前記上面に対して実質的に平行に横方向に突出する横方向突起を含む、請求項1に記載の装置。
【請求項７】
前記ガスケットは圧縮シールである、請求項６に記載の装置。
【請求項８】
パネルの側面における前記接触面は前記側面である、請求項１に記載の装置。
【請求項９】
前記ガスケットは、前方ワイピング側及び圧力印加背面を有するワイピングシールである、請求項８に記載の装置。
【請求項１０】
前記パネルは(ｉ)所定の順番で個々に又は(ｉｉ)グループの隣接するパネルの全てが同時に所定の順番で起立させられる一連のパネルグループとして前記支持パンから直立位置に起立可能であり、前記（ｉ）又は前記（ｉｉ）のいずれの場合でも、少なくとも１つのパネル又はパネルグループは隣接するパネル又は隣接するパネルグループが起立される前に起立され、最初に起立される少なくとも１つのパネル又は最初に起立されるパネルグループは、二番目に起立されるパネル又は二番目に起立されるグループの隣接するパネルのガスケットの接触のために前記接触面を呈し、前記底面で食い止められる水の静止圧は前記ガスケットを前記最初に起立されるパネル又は最初に起立されるパネルグループの接触面に押し付けて、前記パネルの間を通る洪水の侵入に対して正のシールを提供する、請求項１に記載の装置。
【請求項１１】
前記パネルは、直立状態にある場合に直線状に配列される、請求項１０に記載の装置。
【請求項１２】
前記支持パン内にある前記パネルグループのうちの１つ以上の内側パネルのそれぞれは、隣接するパネルの接触面に接触する前記ガスケットを有する、請求項１１に記載の装置。
【請求項１３】
前記パネルは、直立状態にある場合に曲線状に配列される、請求項１０に記載の装置。
【請求項１４】
前記パネルは、直立状態にある場合に内側曲線状に配列される、請求項１３に記載の装置。
【請求項１５】
パネルの側面にある前記接触面は、前記パネルの上面に対して鋭角を成す、請求項１４に記載の装置。
【請求項１６】
前記パネルは、直立状態にある場合に外側曲線状に配列される、請求項１３に記載の装置。
【請求項１７】
前記ガスケットは、前方ワイピング側及び圧力印加背面を有するワイピングシールである、請求項１３に記載の装置。
【請求項１８】
一部のパネルは、直立状態にある場合に直線状に配列され、一部のパネルは、直立状態にある場合に曲線状に配列される、請求項１０に記載の装置。
【請求項１９】
前記複数の隣接するパネルの各端部に隣接する陸地に固定される直立構造であって、該直立構造は、前記隣接するパネルが前記直立位置にある場合に該直立構造に隣接するパネルと同じ高さの接触面を有し、前記直立構造に隣接するパネルの側面は、前記直立構造の接触面とシール接触するためのガスケットを取り付ける、請求項１８に記載の装置。
【請求項２０】
少なくとも１つの張力部材が、前記支持パン及び各パネルの底面に接続され、該張力部材は、起立された前記パネルの底面側で食い止められる水の静水圧が加えられた場合に、前記パネルが直立位置を越えて回転するのを防止する、請求項１９に記載の装置。
【請求項２１】
前記パネルは、直立状態にある場合に直線状に配列され、前記支持パン内にあるパネルグループうちの１つ以上の内側パネルのそれぞれは、隣接するパネルの接触面に接触する前記ガスケットを有し、前記パネルグループは前記パンから直立位置に全て同時に起立させることができ、前記底面で食い止められる水からの静水圧は前記ガスケットを前記グループのパネルの接触面に押し付けて、前記パネルの間を通る洪水の侵入に対して正のシールを提供する、請求項1に記載の装置。
【請求項２２】
該直立構造は、前記直立位置にある前記パネルと同じ高さの接触面を有するとともに、前記複数の隣接するパネルの各端部に隣接する陸地に固定される直立構造を含み、前記複数の隣接するパネルの端部パネルの側面は、前記直立構造の接触面とシール接触するためのガスケットを取り付ける、請求項２１に記載の装置。
【請求項２３】
少なくとも１つの張力部材が、前記支持パン及び各パネルの底面に接続され、該張力部材は、起立された前記パネルの底面側で食い止められる水の静水圧が加えられた場合に、前記パネルが直立位置を越えて回転するのを防止する、請求項２２に記載の装置。
【請求項２４】
パネル又はパネルグループを前記支持パンから前記直立起立位置へと上方に持ち上げるために１つのパネル又はパネルグループに動作的に関連する、前記パネルのための少なくとも１つのパネル起立機構を含む、請求項１に記載の装置。
【請求項２５】
前記パネル又はパネルグループを持ち上げるための機構は、
前記パネルの下で前記第１の回転軸に垂直に位置するリフトアームであって、該リフトアームは、前記第１の回転軸と平行な実質的に水平な第２の回転軸を中心に、下げられた位置から上方に回転するために前記支持パン上で枢動可能に支持され、該リフトアームは前部及び後部を有する、リフトアームと、
前記支持パンに固定される動力駆動装置と、
前記動力駆動装置に近位側が接続され、前記リフトアームの後部に遠位側が接続される被駆動部材であって、前記駆動装置の作動により、前記後部が前方に引き出され、前記前部が前記第２の軸上で上方に回転されて前記パネルを前記第１の軸上で上方に回転させて起立位置に移動させる、被駆動部材と、
を含む、請求項２４に記載の装置。
【請求項２６】
前記リフトアームの前部は、前記パネルの底面に接続されておらず、前記パネルは、前記支持パンが位置する前記陸地の地面よりも水位が高くなることに対応して受動的に浮揚して、浮力で前記第１の軸を中心に上方に回転する、請求項２５に記載の装置。
【請求項２７】
（ａ）水辺の海岸線の近くの陸地に一連の複数の洪水用バリアアセンブリを提供するステップであって、該洪水用バリアアセンブリは、
前記陸地の地面の下で前記陸地に位置する少なくとも１つの支持パンと、
複数の横方向に隣接するパネルであって、各パネルは、上面、底面、前端、後端及び側面を有し、該側面は前記海岸線に対して仮想投影交差角度を有し、前記パネルの後端から少なくとも前端の近くに及ぶ長さを有し、前記パネルは下げられている場合に前記支持パン内にあり、前記パンから直立起立位置へと上方に回転されるために、前記パネルの後端で実質的に水平な第１の回転軸上でヒンジ回転可能であり、該直立起立位置では、侵入する洪水は、前記パネルの底面の後ろで食い止められる、複数の隣接するパネルと、
を含み、
前記隣接するパネルは（ｉ）第１の構成、（ｉｉ）第２の構成又は（ｉｉｉ）第３の構成のいずれかを有し、前記第１の構成にある場合、一方のパネルは、(ａ)対のうちの他方のパネルに隣接するパネル側面に取り付けられるガスケットであって、該ガスケットは該パネル側面の長さに沿う、ガスケットと、（ｂ）該ガスケットが取り付けられる側面以外の当該パネルの他方の側面にある接触面であって、該接触面は前記他方の側面の長さに及ぶ、接触面とを有し、該第２の構成にある場合、第１のパネルが、該第１のパネルに隣接する２つのパネルを分離し、該２つのパネルは、該第１のパネルに隣接する少なくとも１つの側面に接触面を有し、そのような接触面は、前記側面の長さに及び、前記第１のパネルは、ガスケットをその側面に有し、該ガスケットは取り付けられる側面の長さに及び、前記第３の構成は、前記第１の構成の１つ以上のパネルと前記第２の構成の１つ以上のパネルとの組み合わせを含む、ステップと、
（ｂ）前記パネルを実質的に水平な配置から前記直立位置へと起立させるステップであって、前記パネルの接触面に対する前記ガスケットの圧力は、前記パネルの底面の後ろで食い止められる水の静水力に抵抗し、前記パネルの間を通る水に対して正のシールを提供し、前記複数の隣接するパネルは前記直立位置に起立された場合に、前記パネルの上面側で、前記陸地の洪水を防止する連続した水バリアを提供する、ステップと、
を含む方法。
【請求項２８】
前記パネルは(ｉ)所定の順番で個々に又は(ｉｉ)グループの隣接するパネル全てが同時に所定の順番で起立させられる一連のパネルグループとして前記支持パンから直立位置に起立可能であり、前記（ｉ）又は前記（ｉｉ）のいずれの場合でも、少なくとも１つのパネル又はパネルグループは隣接するパネル又は隣接するパネルグループが起立される前に起立され、最初に起立される少なくとも１つのパネル又は最初に起立されるパネルグループは、二番目に起立されるパネル又は二番目に起立されるグループの隣接するパネルのガスケットの接触のために前記接触面を呈し、前記底面で食い止められる水の静止圧は前記ガスケットを前記最初に起立されるパネル又は最初に起立されるパネルグループの接触面に押し付けて、前記パネルの間を通る洪水の侵入に対して正のシールを提供する、請求項２７に記載の方法。
【請求項２９】
前記第1の構成におけるパネルのための前記所定の順番は、個々のパネル又は前記パネルグループを次々に連続して起立させる、請求項２８に記載の方法。
【請求項３０】
前記第２の構成におけるパネルのための前記所定の順番は、ガスケットを両側面に有する前記第１のパネルを起立させる前に前記第１のパネルに隣接する少なくとも１つの側面に接触面を有する前記２つのパネルを起立させる、請求項２８に記載の方法。
【請求項３１】
前記パネルは、直立状態にある場合に直線状に配列される、請求項２８に記載の方法。
【請求項３２】
前記パネルは、直立状態にある場合に曲線状に配列される、請求項２８に記載の方法。
【請求項３３】
一部のパネルは、直立状態にある場合に直線状に配列され、一部のパネルは、直立状態にある場合に曲線状に配列される、請求項２８に記載の方法。
【請求項３４】
前記パネルは、直立状態にある場合に直線状に配列され、前記支持パン内にあるパネルグループうちの１つ以上の内側パネルのそれぞれは、隣接するパネルの接触面に接触する前記ガスケットを有し、前記パネルグループは前記パンから直立位置に全て同時に起立され、前記底面の後ろで食い止められる水からの静水圧は前記ガスケットを前記グループのパネルの接触面に押し付けて、前記パネルの間を通る洪水の侵入に対して正のシールを提供する、請求項２７に記載の方法。
【発明の詳細な説明】
【技術分野】
【０００１】
関連出願の相互参照
本願は、２０１８年１月８日に出願された米国仮出願第６２/６１４８６０号の便益を主張する。
【０００２】
本発明は、陸地を洪水から守るための洪水用バリア（flood  barriers）と、隣接する水域から上昇する水による陸地の改良に関する。
【背景技術】
【０００３】
ニューヨーク市は水際に建設された。ニューヨーク市は四方の全てを水に囲まれた沿岸都市である。沿岸の水辺は５７８マイルにのぼり、水辺の全てがニューヨーク市にとって最大の脅威である。これは、２０１２年１０月２９日及び３０日に熱帯低気圧サンディーがニューヨーク市とその近郊及びロングアイランドを襲い、ニューヨーク市を驚かせた時に脅威が特に顕著となった。高波により補完された結果、高潮は平均潮位よりも約１４フィートも高く、マンハッタンや他の水辺の区に並べられた防波堤や隔壁を超えて、建物、地下鉄や自動車用のトンネルを水浸しにし、電気設備に損害を与え、少なくとも４８名の人命を奪い、実質的に市を閉鎖に追い込んだ。未処理及び部分的に処理された下水を含む１２億ガロンの水によって市は水浸しとなった。高潮により市は７０万トンの瓦礫に巻き込まれた。ニューヨーク市の歴史上最悪の自然災害であった。ニューヨーク市全体の被害及び経済的損失は、少なくとも３３０億ドルと推定された。
【０００４】
気候変動により、世紀を通じて海面の水位の上昇が続き、暴風雨はより激しいものとなる。ニューヨーク市はハリケーンゾーン内に位置し、他の大規模な暴風雨の可能性も非常に高い。必然的に海水が押し寄せる。
【０００５】
サンディーは、市の１７％にあたる５１平方マイルにわたって浸水をもたらした。世紀の変わり目までに海面の水位は６フィート上昇することが予測されており、その６フィートのさらなる水は１００平方マイル又は市の１/３を覆い、市の一部を住めなくする。ニューヨーク市は銀行、金融、技術、芸術及びメディアの中心地であり、地球上のどの場所よりも多くのフォーチュン５００企業を抱えている。ニューヨーク市に何かが起きた場合、それは世界的な影響がある。この浸水の脅威はニューヨーク市だけのものではなく、海岸沿いにある主要な大都市圏、例えばフロリダ州マイアミ、イギリスのロンドン及び日本の東京も、海面上昇及び少なくともマイアミの場合にはハリケーン、東京の場合には台風によるリスクが高い。
【０００６】
ニューヨーク市のために提案された「ビッグユー（Ｂｉｇ-Ｕ）」等の沿岸防衛策は、高潮やその他の上昇する洪水を防ぐために、鋼鉄又はコンクリート製の高い壁又は防波堤や隔壁と共に堤防を恒久的に建設することを求められるが、そのようなものを建設した場合、地上から見た周囲の水辺の望ましい風景の景色を恒久的にブロックし、水域へのアクセスを妨げる可能性があり、多くの市民に反対されている。それでも、地表や、防波堤又は隔壁に沿って高くなった道及び建物は、少なくとも部分的に、隔壁及び防波堤に沿って建設されたゼロライン道路及び建物により、恒久的な固定壁又は堤防のために利用可能な水平又は垂直の空間を残し得る。ゼロライン構造がない場合でも、堤防を敷くスペースがなく、通常は堤防の幅が２倍である必要がある。さらに、市を取り囲む恒久的な壁や要塞のような防衛システムは、家というよりも監獄に閉じ込められたような城郭都市のような雰囲気を残し得る。
【０００７】
隔壁、防潮堤、堤防、防潮堤又は他の海岸防波堤構造を設置することで裏水域の水辺の景色を恒久的にブロックしない解決策が過去に提案されている。本発明の発明者による特許文献１には、洪水用バリアを形成するために、側面の永久端壁の間で上方に回転する浮揚パネルを伴う受動自己架設システムが記載されているが、水が既に上陸してパネルが持ち上げる場合に機能し、暴風雨の恐れに先立って能動的に架設することができない。本発明者による特許文献２には、浮揚パネルを能動的に持ち上げるためのシステムが記載されている、パネルは、本発明のものと同様に相互作用しない。
【０００８】
特許文献３には、川辺に並べられ、浮揚支柱間に柔軟なシートを用いる受動的な洪水防止バリアが記載されている。特許文献４及び５には、浮揚壁を垂直且つ上方に浮かべるためにチャンバに水を注入して壁を高めることが記載されている。特許文献６及び７には、増水した雨水を用いて地下のチャンバを充填して壁を堤防又は隔壁の上に垂直に且つ上方に浮揚させることが記載されている。特許文献８は、堤防内の収容空間に位置して、作業者が広げて定位置に固定可能な折り畳み式金属壁の使用が記載されている。特許文献９は、洪水防御のために平衡スラブを手動で設置することが記載され、スラブの側面の溝に挿入されたボードによってスラブ間の間隙が充填されている。特許文献１０は、海岸線に対して平行に延びる基板の遊歩道が記載され、遊歩道は、最岸部の厚板が取り付けられたギア付きヒンジシャフトに作用するモータによって立ち上げ可能な洪水制御バリアとしての二重の用途がある。後者の解決策の全ては、構造的及びその他の工学的な限界があるため、街全体の広大な地域の浸水を防ぐための地表レベルの防衛に適用することができない。
【先行技術文献】
【特許文献】
【０００９】
【特許文献１】米国特許第９２７９２２４号明細書
【特許文献２】米国特許第９４５８５８８号明細書
【特許文献３】米国特許第４３７７３５２号明細書
【特許文献４】米国特許第６３３８５９４号明細書
【特許文献５】米国特許第６５１４０１１号明細書
【特許文献６】米国特許第５７２５３２６号明細書
【特許文献７】米国特許第７７４４３１０号明細書
【特許文献８】米国特許第７０３３１１２号明細書
【特許文献９】米国特許出願公開第２００７/０１８９８５４号明細書
【特許文献１０】米国特許出願公開第２００７/０１７５３５２号明細書
【発明の概要】
【課題を解決するための手段】
【００１０】
本明細書に記載の本発明は、洪水が必然的に上陸した場合にリスクのある都市のとっての少なくとも部分的な解決策であり、一部の場所にとっては完全な解決策である。
【図面の簡単な説明】
【００１１】
以下の例示の実施形態の詳細な説明では、いくつかの実施形態において、本願の一部を形成する添付の図面を参照する。添付の図面において、本発明が実施され得る例示の非限定的な実施形態を示す。図面及び説明において、明細書及び図面全体を通じて、同様の又は対応する部分に同じ参照番号を又は参照番号に変更を加えたものを付す。例えば、ガスケット５２は、特定の種類のガスケットの場合に具体的に５２ａ又は５２ｂと言及され、接触面５６も、場合によっては５６ａ（上面と平行な接触面)、５６ｂ(上面と垂直な接触面)又は５６ｃ（上面に対して垂直で且つ鋭角をつけた接触面)として言及され得る。５２又は５６等の数字の言及は排他的なものではなく、そのような数字の変形版を含むものと理解すべきである。本発明の特定の特徴は、誇張された縮尺で又は幾分概略的に示されており、一部の図面では、他の図面に示されている要素の一部の詳細は、明りょう性及び簡潔性のために省略されている。図面を参照して、図１〜図２３は、本発明に係る直線状配列の一連の洪水用バリアのパネルの例示の実施形態を示す。
【図１】図１は、図２〜図５の例示の実施形態が位置し得る、一連の洪水用バリアのパネルの例示の実施形態の等角斜視図である。
【図２】図２は、一対のパネルのうちの第１のパネルが起立され、第２のパネルが続けて起立されて第１のパネルに近づいた状態を示す概略斜視図である。
【図３】図３は、図２と同じ図からの拡大概略図であり、第２のパネルが図２の状態よりも完全起立に近づき、第２のパネル上のガスケットが第１のパネルの接触面と接触した状態を示す。
【図４】図４は、図２及び図３とは異なる角度の概略斜視図であり、第２のパネルが完全に起立して、第１のパネルと第２のパネルとの間の間隙をシールする状態を示す。
【図５】図５は、第１及び第２のパネルのシール係合の概略端面図である。
【図６】図６は、洪水用バリアの一実施形態の乾燥側からの等角概略図であり、一連の隣接するパネルが隣り合って直線状に配置されるとともに、地面（高架の高速道路等の頭上構造の下の陸地として図示）に対して実質的に水平に配置されるとともに、地面と同一平面であり、支持パン内で下げられた位置にある状態を示し、状態を示すとともに、隣接ユニットの各端部パネルに隣接する地面に固定された高速道路直立支持ピラーである直立構造も図示する。
【図７】図７は、図6の図の起立された隣接するパネルの遠くのグループを示す。
【図８】図８は、図７の図のパネルの隣接するパネルの近くのグループが全て同時に起立された状態を示す。
【図９】図９は、図６〜図８と同じ視点からの図であり、隣接するパネルの遠くのグループ及び近くのグループの全てが起立された状態を示す。
【図１０】図１０は、一連の洪水用バリアパネルの例示の実施形態の斜視図であり、図１よりもパネル起立機構をより良好に示す。図１及び図１０の双方は、侵入する水をブロックするためにパネルが起立された場合のバリアの水に面する側（wet  side）からの図である。
【図１１】図１１は、各パネルの上面が地面に対して実質的に水平に配置され、支持パン内で下げられた位置にある図１０の実施形態を等角的に示し、各端部パネルに隣接する壁である直立構造も示す。
【図１２】図１２は、紙面に対してわずかに時計回りに回転された図１１の実施形態を等角的に示し、１つの壁を切除して、それに最も近い端パネルの大半が示されている。
【図１３】図１３〜図１８では、図１及び図１０に示すパネル起立機構が支持パンの内部をより見やすくするために取り除かれているものの、図１０にはパネル起立機構は存在している。図１３は、紙面に対して図１２と同じように回転させた状態の図１０の実施形態であるが、支持パンの内部がより良く見えるように、図１２の切除された壁が取り外されている。図１３では、取り除かれた壁に最も近い端パネルが起立され、中央パネルは下げられたたままであり、遠い壁に隣接する端部パネルは起立されている。
【図１４】図１４は、遠い壁に隣接する端部パネルが起立した図１３の実施形態である。
【図１５】図１５は、バリアの乾燥側から見た図１４の実施形態であり、２つの端部パネルが起立され、この場合は中央パネルが起立されている。
【図１６】図１６は、バリアの水に面する側から見た図１５の実施形態であり、２つの端部パネルが起立され、中央パネルが起立されている。
【図１７】図１７は、図１３で切除された壁の近くの端部パネルが起立され、次いで、他方の端部パネルが起立されている間に、中央パネルの起立が始まる一連の流れを示す。
【図１８】図１８は、図１３で切除された壁の近くの端部パネルが起立され、次いで、他方の端パネルが起立されている間に、中央パネルの起立が始まる一連の流れを示す。
【図１９】図１９は、図１３〜図１８の実施形態の隣接するパネルの前端の等角図であり、図１７で切除された壁の隣りの端部パネルである端部パネルの次に隣接する側面接触面に対して、その側面に圧縮シールを保持する中央パネルの接近するシール閉鎖を示す。
【図２０】図２０は、２つの端部パネルに対する中央パネルの接近シール閉鎖の上面図である。
【図２１】図２１は、図１７で切除したのと同じ壁の隣りの隣接する端部パネルの接触面に対する、中央パネルの側面側の圧縮シール閉鎖を示す部分上面図である。
【図２２】図２２は、図１８の切除されていない端壁の隣りの端部パネルのワイピングシール閉鎖を示す部分上面図である。
【図２３】図２３は、図１０〜図１８の装置の水に面する側の等角図であり、図１０のように、全てのパネルが起立されて直立位置にあるのを示すとともに、パネル起立機構が所定の位置にあることを示す。
【図２４】図２４〜図３７は、本発明に係る、曲線状に配置される洪水用制御パネルの例示の実施形態を示し、図２４は、内側に湾曲する海岸線に沿うように、内側曲線状に配置された４つの収容されたネスト化パネルの側面透視斜視図である。内側曲線の中心は、洪水用バリアの水に面する側である紙面の右側にある。透視図では、パネルを水平方向に重ねて見せることができる。
【図２５】図２５は、図２４のネスト化されたパネルの上面透視図である。
【図２６】図２６は、図２５のパネルを完全に起立された上面図である。
【図２７】図２７は、洪水用バリアの左端の水に面する側から見た、完全に起立された図２４〜図２６のパネルの等角図である。
【図２８】図２８は、洪水用バリアの左端の乾燥側から部分的に見た、完全に起立された図２８のパネルの等角図である。
【図２９】図２９は、洪水用バリアの右端の水に面する側から見た、完全に起立された図２８のパネルの等角図である。
【図３０】図３０は、海岸線の外側コーナー又は外側点の周りを回るために外側曲線状に配置された４つの収容されたパネルの側面斜視図である。カーブの中心は、洪水用バリアの乾燥側である紙面の左側にある。
【図３１】図３１は、図３０の収容されたパネルの上面図である。
【図３２】図３２は、図３０に収容された起立パネルの上面図であり、海岸線の外側コーナー又は外側点の周りを回るために図３１にも見られるようなハウジングを拡大して示す。
【図３３】図３３は、洪水用バリアの中間の水に面する側から見た、図３２の起立パネルの等角図である。
【図３４】図３４は、洪水用バリアの左端の水に面する側から見た、図３２の起立パネルの等角図である。
【図３５】図３５は、洪水用バリアの右端の水に面する側から見た、図３２の起立パネルの等角図である。
【図３６】図３６は、図３２〜図３５のパネルの隣接する端部パネルのワイピングシール閉鎖を示す部分斜視図である。
【図３７】図３７は、洪水用バリアの中間の乾燥側から見た、図３６の起立パネルの等角図である。
【発明を実施するための形態】
【００１２】
本発明によれば、一連の隣接する洪水用バリアパネルは、水辺の海岸線近くの陸地に配置され、水辺の景観を妨げないとともに、浸水の可能性がある暴風雨が差し迫っていることに気付いたときに機械的に起立可能な表面を提供して、何マイルにも及ぶことができる連続した垂直バリアを提供し、バリアの乾燥側の陸地の洪水を防止して、高潮又は他の上昇する洪水を食い止めるために鋼鉄若しくはコンクリート製の製造された高壁又は堤防の必要性を排除する。水辺の海岸線近くの陸地に一連の洪水用バリアパネルを配置して起立させる方法は、洪水用バリアパネルが、海岸線に直線的に沿い且つ曲線及び上下のスロープ及び傾斜に沿わせることができる。
【００１３】
本明細書に記載されている特定の詳細（要約書に記載の内容も含む）は、いずれの場合も、本発明の概念が実施され得る具体的な方法を表す実施形態の非限定的な説明及び例示である。これは、これらの概念に合致する実質的に任意の適切な詳細システム、構造又は方法において本発明を用いることを当業者に教示するのに役立つ。本明細書の全体を通じて「例示の実施形態」とは、実施形態に関連して記載された特定の特徴、構造又は特性が本発明の少なくとも１つの例示の実施形態に含まれていることを意味する。そのため、本明細書全体に亘る様々な箇所での「例示の実施形態において」又は同様の表現は、必ずしも同じ実施形態を意味していない。また、特定の特徴、構造又は特性は、１つ以上の実施形態において、任意の好適な方法で組み合わせられ得る。本発明の範囲内で、特定の実施形態及びそれらの実施形態の詳細に対して種々の変更及び変形を行うことができる。図面に記載の１つ以上の要素は、特定の用途に従って有用であるように、より分離された又は統合された方法で実施することができるかあるいは特定の場合には、除去されるか又は操作不能とさえすることができる。本明細書に記載された本発明の概念の範囲内で及び本明細書で詳述の例示の実施形態において様々な及び異なる実施形態が可能であるため、本明細書の詳細は例示として解釈されるべきであり、本明細書で説明及び記載されている本発明を限定するものと解釈すべきでない。
【００１４】
例示の実施形態の詳細な説明で用いられる「上側」、「下側」、「後ろ側」、「前側」、「垂直」、「法線方向」、「垂直方向」、「直立」、「水平」「長さ方向」、「横方向」、「近位」、「遠位」等の様々な方向は、図面に関連して説明を容易にするためだけに用いられている。本明細書で詳述される例示の実施形態は本発明の概念を具体化するものであるため、構成要素は、同じ機能を行い、同じ結果が得られるとしても、その向きは異なり得るものであり、そのような用語は、実施形態を例示する概念を限定するものと理解すべきでない。「水平」又は「水平に」という用語は、限定されないが文字通りの水平の意味を含むが、一般に、すぐ近くにある陸地に対して、水平として記載される要素の機能に実質的に悪影響を与える程度水平から外れていないことを概して意味する。同様に、「垂直」又は「直立」という用語は、限定されないが文字通りの垂直の意味を含むが、すぐ近くにある陸地に対して、垂直又は直立として記載される要素の機能に実質的に悪影響を及ぼさない程度で実質的に上下を概して意味する。
【００１５】
本明細書で用いられる「含む（comprises,  comprising,  includes,  including）」、「有する（has,  having）」又はそれらの任意の他の変形型は、非排他的包含をカバーすることを意図する。例えば、列挙された要素を含む装置は、必ずしもそれらの要素のみに限定されず、明示的に列挙されていない他の要素又はそのような方法、物品又は装置に内在する他の要素も含み得る。また、別段の明示的な記載がない限り、「又は」とは、包含的な「又は」を意味し、排他的な「又は」を意味しない。すなわち、別段の明示的な記載がない限り、「又は」という用語は、「及び／又は」を意味することを概して意図する。例えば、条件Ａ又はＢは、Ａが真であり(又は存在する)、Ｂが偽である(又は存在しない)場合、Ａが偽であり(又は存在しない)、Ｂが真である(又は存在する)場合、及びＡとＢと双方が真である(又は存在する)のうちのいずれか１つの場合に満たされる。
【００１６】
特許請求の範囲及び／又は明細書において「含む」(又は同義語の「有する」)という用語と併せて「ａ」または「ａｎ」という用語が用いられる場合、「１つの」を意味し得るが、「１つ以上」、「少なくとも１つ」及び「１よりも大きい」の意味とも一致する。加えて、本明細書で用いる「〜への接続」又は「〜に接続される」という用語は、直接又は中間構成要素を介して連結されることを意味する。
【００１７】
本発明の例示の装置の実施形態は、水辺の海岸線（water  frontage  shoreline）近くの陸地内に又は陸地上に配置される複数の洪水用バリアアセンブリを含む。各アセンブリは、水辺の海岸線近くの陸地内に又は陸地上に位置する少なくとも１つの支持パン（support  pan）を含む。各アセンブリは、複数の隣接パネル（next  adjacent  panel）をさらに含み、各パネルは、上面、底面、前端、後端及び側面を有する。側面の仮想投影（imagined  projection）は海岸線と斜めに交差する。すなわち、側面は海岸線と平行ではない。側面は、パネルの後端から少なくとも前端付近に及ぶ長さを有する。側面は、パネルの上面に対して垂直であり得る。側面の長さは、等しくても等しくなくてもよい。パネルは四角形であってもよく、対向する側は対称であってもよいが、必ずしも対称である必要はない。パネルは下げられた位置（lowered  position）にある場合に支持パン内にあり、パネルの後端で実質的に水平な第１の回転軸上でヒンジ回転可能であり、パンから直立起立位置（upright  raised  position）へと上方に回転される。直立起立位置では、侵入した洪水がパネルの底面で食い止められ、その後ろにある。
【００１８】
支持パンは、海岸線の近くの非交通（non-traffic）区域内の陸地の地面上にあり得る。すなわち、陸地の地面に取り付けられるか又は海岸線の近くの交通区域内にあり得る。支持パンは陸地に、すなわち、穴（excavation）内に設置され得る。支持パンが陸地内に設置される例示的な実施形態では、各パネルの上面は、パネルが支持パン内の下げられた位置にある場合に、陸地の地面に対して実質的に水平に配置され得る。そのような配置では、支持パン内にあるパネルは、洪水の嵐の恐れがない通常時に歩行者、車両又はその両方によって用いられるための通行面（over-trafficking  surface）を呈し得る。
【００１９】
各パネルの上面が実質的に水平に配置され得ると言った場合の「実質的に」とは、地形への適応（accommodation  to  terrain）を意味する。陸地の地面は、水平線と同じ高さであってもよいし、傾斜していてもよい。陸地の地面が平坦な場合、パネルの上面は、実質的に水平に配置され、支持パンが位置する地面と実質的に同一平面にあり得る。陸地の地面が傾斜している場合、斜面の一部は、実質的に水平な面を呈するように斜面の長さに沿って掘削され(斜面の傾斜ではない)、係る実質的に水平な面にパンが埋め込まれ、パン内にあるパネルの上面が斜面に対してではなく水平線に対して実質的に水平になるように配置される。あるいは、パンは斜面の傾斜の角度で埋め込まれ、パン内の傾斜の下側位置にライザーを配置して、パネルの面をパン内のパネルの前端で実質的に水平位置に持ち上げてもよく、ヒンジ付きの第１の回転軸は、パン内の傾斜の上側にある。あるいは、パンの上面を底面に対して傾斜させて底面は違うが上面は水平線に対して実質的に水平になるようにしてもよい。
【００２０】
複数の隣接するパネルは、坂を上るか又は下り得る。より高いパネルが坂の底部にあり、それよりも小さいパネルが坂の頂部に進み、パネルの上面は、坂を上る場合にどんどん狭くなる実質的に水平な歩行者用の階段を提供し、坂を下る場合にどんどん広くなる実質的に水平な歩行者用の階段を提供する。
【００２１】
支持パンは、斜面に斜めに埋め込まれてもよく、パネル持ち上げ機構に収容されてパネルを９０°以上回転させる。そのような場合、そのような収容により、パネルの上面は十分に実質的に水平であるか又は通行面を提供するのに、十分に実質的に水平でないことがある。
【００２２】
複数の隣接するパネルは、第１の構成、第２の構成又は第３の構成のいずれかを有し、（ｉ）「第１の構成」では、１つのパネルが、（ａ）別のパネルに隣接するパネル側面に取り付けられるガスケットであって、ガスケットはパネル側面の長さに沿う（coursing  the  length  of  the  panel  lateral  side）、ガスケットと、（ｂ）ガスケットが取り付けられる側面とは別の他方の側面にある接触面であって、接触面は他方の側面の長さに及ぶ（running）、接触面を有し、（ｉｉ）「第２の構成」では、第１のパネルは、第１のパネルに隣接する２つのパネルを分離し、該２つのパネルのそれぞれは、第１のパネルに隣接する少なくとも１つの側面に接触面を有し、該接触面はそのような側面の長さに及び、第１のパネルはその側面のそれぞれに取り付けられるガスケットを有し、該ガスケットはそれが取り付けられる側面の長さに及び、（ｉｉｉ）「第３の構成」では、第１の構成の１つ以上のパネルと、第２の構成の１つ以上のパネルとの組み合わせを含む。これらの構成は、隣接するパネルにエッジシールを提供し、パネルの底面の後ろで収容される水が隣接するパネルを通過するのを防止する。
【００２３】
例示の実施形態では、直立構造は、洪水用バリアを提供する一連の隣接パネルの各端部に隣接する陸地に固定される。直立構造は、そのような隣接するパネルが直立位置にある場合に、直立構造に隣接するパネルと同じ高さの接触面を有する。直立構造に隣接するパネルの側面は、直立構造の接触面とシール接触するためのガスケットを取り付ける。
【００２４】
例示の実施形態では、少なくとも１つの張力部材が支持パン及び各パネルの底面に接続される。張力部材は、起立したパネルの底部に貯められた水の静水圧が加わると、パネルが直立位置を越えて回転するのを防止する。この構成は、パネルの後ろ側で食い止められる水と、ガスケットを接触面に押しつけて且つ張力部材に負荷を加える静水圧とにより、貯留された水の力に対して、優れた漏れ抵抗を提供するとともに、パネルの歪みを保護する。重要なことは、張力部材は、中間の支持ポストを必要とせずに長く延びた隣接パネルを可能にする。
【００２５】
例示の実施形態において、パネルの側面にある接触面は、パネルの上面から側面の上に延び、上面と実質的に同一平面の延長部を含み得るか又はパネルの側面にある接触面は、上面に対して実質的に平行な、側面からの横方向に延びる突起を含み得る。そのような実施形態では、ガスケットは圧縮シールであり得る。
【００２６】
例示の実施形態では、パネルの側面にある接触面は側面自体であり得る。そのような実施形態では、ガスケットは、前方ワイピング側を有し、後ろに圧力印加背面（pressure  application  back  side）を有するワイピングシール（wiping  seal）であり得る。
【００２７】
例示の実施形態では、アセンブリのパネルは（ｉ）個別のパネルとして所定の順番で又は（ｉｉ）パネルの隣接グループとして、支持パンから直立位置へと順番に起立可能であり、パネルの隣接グループの場合、第１の隣接グループの隣接パネルが全て同時に起立され、続いて第２の隣接グループの隣接パネルが全て同時に起立され、全ての隣接グループが終わるまで続く。（ｉ）又は（ｉｉ）のいずれの場合も、少なくとも１つのパネル又はパネルのグループは、隣接パネル又は隣接パネルのグループが起立される前に起立され、最初に起立されるパネル又は最初に起立されるパネルのグループが、二番目に起立されるパネル又は二番目に起立されるパネルのグループの隣接パネルのガスケットが接触する接触面を呈する。底面でブロックされる水からの静止圧は、二番目に起立されるパネル又は二番目に起立されるパネルのグループのガスケットを最初に起立されるパネルの又は二番目に起立されるパネルのグループの接触面に対して押し付け、起立されたパネル間を通る洪水の侵入に対して正のシールを提供する。
【００２８】
例示の実施形態では、上述の「第１の構成」におけるパネルのための所定の順番は、個別のパネル又はパネルのグループを次から次に連続して起立させる。
【００２９】
別の例示の実施形態では、上述の「第２の構成」におけるパネルのための所定の順番は、両側面にガスケットが取り付けられた第１のパネルを起立させる前に、少なくとも１つの側面に接触面を有する２つの分離されたパネルが起立させる。
【００３０】
パネルは直線状に、例えば、概して真っ直ぐな線状に（例えば、図１〜図２３を参照）又はリニアジグザグ線（linear  zigzag  line）状に配列され得る。直線状に配列されたパネルでは、パネルは、支持パンから直立位置へと上述した所定の順番で連続して又は全て同時に起立させることができ得る。例示の実施形態では、パネルが概して真っ直ぐな線になるように直線状に配列されている場合、パネルの側面上の接触面は、例えば、上面と実質的に同一平面上にあり側面の上を上面から延長する延長部として又は上面に対して実質的に平行な、側面からの横方向に突出する横方向突起として、パネルの側面を越えて延在し得る。このような構成では、圧縮シールガスケットを使用し得る。別の例示の実施形態では、パネルが概して真っ直ぐな線になるように直線状に配列されているか又はパネルが(後述する)外側曲線（outside  curve）状に配列されている場合、パネルの側面にある接触面は側面自体であり、そのような場合には、ガスケットは、前方ワイピング側及び圧力印加背面有するワイピングシールであり得る。
【００３１】
例示の実施形態では、パネルは、ジグザグ配列で、すなわち、一連の内側曲線及び外側曲線(曲線については下記参照)として、例えば、波状の海岸線に沿うように、左折及び右折を交互に有する針路又は線状になるように直線状に配列され得る。ジグザグの「ジグ」は、ジグザグ線を見た場合に紙面の左側にあり、ジグパネルの側面の接触面は、パネルが（後述する）内側曲線状に配列されている場合に、パネルの上面に対して鋭角を成し得る。「ザグ」パネルの接触面は、そのパネルが外側曲線を横切り得る場合に上面に対して鈍角を成し得る。
【００３２】
直線状配列の例示の実施形態において、ユニットとして起立されるパネルグループのパネルが支持パン内にある場合、１つの又は複数の内側パネル(すなわち、配列の端にないパネル)のそれぞれは、隣接するパネルの接触面と既に接触するガスケットを有し得る。
【００３３】
配列の端にあるパネル(複数のパネルユニットの端にある端部パネル)は、ガスケットが装着された側面を有し得る。直立構造は、一連のパネルの各端に隣接する地面に固定され、直立位置にある端部パネルと少なくとも高さが同じ直立構造は、直立構造の接触面でガスケットをシールするために、直立位置にある端部パネルと同じ高さの接触面を有する。そのような直立構造の例としては、図６〜図９に示すようなピラー又は図１、図１０〜図１８、図２０、図２２及び図２３に示すような壁である。
【００３４】
組立体のパネルは、起立されて直立状態にある場合、直線状の海岸線が内陸に曲がる海岸線の外側コーナーの周りを取り囲むように又は内陸の海岸線が内側に曲がる海岸線の内側コーナーの周りを取り囲むように曲線状に配列され得る。ここでは、海岸線の外側コーナーのための曲線を「外側曲線」、海岸線の内側コーナーのための曲線を「内側曲線」という。外側曲線状に配列されたパネルは、曲線の外の水をブロックすることにより、カーブの内側にある陸地を保護する上で有利である(例えば、図３０〜図３７参照)。内側曲線状(例えば、図２４〜図２９参照)に配列される本明細書で例示のアセンブリ実施形態のパネルは、カーブの内側の水をブロックすることによりカーブの外側の陸地を保護する上で有利である。パネルが内側曲線状に配列される例示の実施形態では、パネルの側面にある接触面は、パネルの上面に対して鋭角を成し得る。
【００３５】
起立され直立状態となったパネルを直線状及び曲線状の両方で連続的に且つシール可能に配置できることで、パネルを連続して且つシール可能に海岸線に沿わせることができる。例えば、一部が直線状の海岸線は、直線状に配置されたパネルによってシールされるのが有利であり(例えば、図１〜図２３を参照)、そして海岸線は、陸地の外側コーナーを中心に内陸へと内側に屈曲し得る。そして、パネルは、直線的な配置から、外側曲線状配置に移行して海岸線の外側コーナーに沿って、曲線の外側で水を、乾燥した内側で陸地を維持する(例えば、図３０〜図３７)。海岸線は、次いで直線状の延びを再開し、パネルは、その海岸線の延びのために直線状の連続シール配置(例えば、図１〜図２３)に再び遷移し、次いで、海岸線が再び内陸に向かって折れることで水がその内陸への移動の程度に到達すると、パネルは、１つ以上の内側曲線状(例えば、図２４〜図２９)に遷移し、曲線の外側で陸地の乾燥側を維持し、曲線の内側に水に面する側を維持し、次いで、入口が水域本体（main  body  of  water）に戻ると、別の直線状の延び(例えば、図１〜図２３)に沿ってパネルを連続的にシール接続でき、そしてパネルは、海岸線が外側コーナーで曲がるため、外側曲線状に接続され(例えば、図３０〜図３７)、海岸線が再度直線状に延びるため、別のパネルが直線状に接続される。別の例では、パネルを外側曲線状に(例えば、図３０〜図３７)に連続的に且つシール可能に配置できることで、水に囲まれた陸地の点の周りをパネルで連続的に且つシール可能に取り囲み、曲線の外で水側を維持し、曲線の内側で乾燥した陸地側を維持する。
【００３６】
パネルの側面の接触面は平坦面であり得る。パネル又はパネルグループを直線状に連続して起立させる例示の実施形態では、最初に起立されるパネル又はパネルグループの接触面は、上面に平行なパネルの側面から横方向に延び、二番目に起立されるパネル又はパネルグループのガスケットは、最初のパネルの側面から延びる接触面に対して押し付けられる圧縮ガスケットであり得る。
【００３７】
別の例示の実施形態では、接触面はパネルの側面であり、ガスケットは、前方ワイピング側及び圧力印加背面を有するワイピングシールである。上述の「第1の構成」では、接触面は、パネルの一方の側面にある(各パネルは、ガスケットが取り付けられる側面とは別の側面に取り付けられる平坦な接触面を有する)。パネル又はパネルグループを直線状配列又は曲線状配列のいずれかで連続して起立させる際、二番目に起立されるパネル又はパネルグループのガスケットの前方ワイピング側は、ガスケットの圧力印加背面が、隣接する最初に起立されるパネル又はパネルグループの接触面に対して前方ワイピング側を押し付けることで、隣接する最初に起立されるパネル又はパネルグループの接触面をワイプする（wipes）。最初に起立される離間したパネルの両側面に接触面がある上述した「第２の構成」の実施形態では、最初に起立される離間したパネルのうちの２つの間で起立される二番目に起立されるパネル又はパネルグループの両側面にあるガスケットの前方ワイピング側は、ガスケットの圧力印加背面が、隣接する最初に起立されるパネル又はパネルグループの接触面に対して前方ワイピング側を押し付けることで、隣接する最初に起立されるパネル又はパネルグループの接触面をワイプする。
【００３８】
例示の実施形態では、アセンブリは、パネル又はパネルグループを、支持パンから直立起立位置へと上方に起立させるために、１つのパネルに又はパネルグループに関連するパネルのための少なくとも１つのパネル起立機構を含み得る。下げられたパネルを上昇させるための機構を各パネルが有する例示の実施形態では、係る機構は、各パネルの下で第１の回転軸に垂直に位置し、第１の回転軸に平行な実質的に水平な第２の回転軸を中心に下げられた位置から上方に回転するために支持パン上に枢動可能に支持されるリフトアームを含み得る。リフトアームは後部及び前部を有する。係る機構は、支持体に固定される動力駆動装置と、近位側が動力駆動装置に接続され、遠位側がリフトアームの後部に接続される被駆動部材とをさらに含み、駆動装置の作動時に、後部が前方に引き出され、前部が第２の軸上で上方に回転されて、パネルを第１の軸上で上方に回転させて起立位置に持ち上げる。係る機構は、第１及び第２のパネルの駆動装置をその順番で連続的に作動させるか又はパネルグループを全て同時に持ち上げるために全ての駆動装置を一度に作動させるために、各パネルの駆動装置のためのコントローラをさらに含み得る。
【００３９】
例示の実施形態では、リフトアームの前部はパネルの底面に接続されていない。前部の端部には、低摩擦の摩擦面（low  friction  rub  surface）が付加されていてもよく、パネルを持ち上げる間に前部の端部が接触するパネルの部分であるパネルの底面は低摩擦の摩擦面を有し、該摩擦面は、パネルの持ち上げる際に前部の端部が底面に沿って移動する移動距離と少なくとも同じ長さを有する。
【００４０】
例示の実施形態では、パネルは、支持パンが位置する陸地の地表よりも高く水位が上昇することに対応して受動的に浮揚してし、浮力により第１の軸を中心に上方に回転する。これは、リフトアームの前部がパネルの底面に接続されていない場合に有利であり、パネルを起立させるための機械的機構が作動される前に動力故障が起きた場合に、パネルは、本質的に一度に受動的に起立し、パネルの機械的な起立が開始された後であって、全てのパネルが完全な直立位置に起立される前に動力故障が起きた場合には、完全に起立されていないパネルの後ろにある水が侵入することで、パネルを完全な起立状態に浮揚させ、完全に起立されていないパネルがほぼ完全に起立されると、貯められた水（impounded  water）からの静水圧がパネルを完全な直立位置に押し上げる。パネルがリフトアームの前部に接続されている場合、係る接続によってパネルが完全に起立されず、浮力又は静水圧によって起立が完了するのを妨げる。
【００４１】
次に図面を参照して、図１の参照符号１０は、横方向に隣接する複数のパネル１２(図１における１２ａ、１２ｂ、１２ｃ)を含む例示の実施形態を示す。各パネルは、上面１４、底面１６、前端１８、後端２０及び側面２２、２４を有し、側面２２、２４の長さは、パネル１２の後端２０から少なくとも前端１８の近くに及ぶ。各パネルの上面１４は、支持体２８内で下げられた位置２６にある地面に対して実質的に水平に配置される(パネル１２ｃは、パネル１２ａ、１２ｂで見えないパネル１２の上面及び他の詳細を示すために水平状態からわずかに起立されている)。支持体２８はハウジング又はパンの形態であり、パネル１２は下げられた位置にある場合にパン内にある。パネル１２は、パネル１２の後端２０で実質的に水平な第１の回転軸２９上でヒンジ回転可能であり、（パネル１２ａ、１２ｂについて示す）起立位置にいくように上方へと同じ回転方向に回転される。起立位置では、底面１６の後ろで水が食い止められる。
【００４２】
パネル１２は、中空状のチューブ４０を含む複数の繰り返しアセンブリユニット（repeating  assembly  unit）で構成され、例えば、チューブは断面が直線的であり、例えば、チューブ４０の長さに沿ってステッチ溶接により接続されている。パネル１２は、パネル固定プレート３２に枢動可能に取り付けられる折りたたみ可能な張力部材保持アーム３０によって、水（水は起立されたパネル１２の底面にある）に対して垂直な状態で維持される。張力部材保持アーム３０は、パン２８の底部３６でパン固定プレート３４に固定されている。保持アーム３０は、下側にスロットが形成された１つの上側部と、上側部のスロットを通るピンによって接続される２つの下側部とを有する。複数の支持梁３８が、各パネル１２の底面１６に後端２０から前端１８にかけて取り付けられている。支持梁３８は例えば、パネルの上で歩行者又は車両交通のための通行面としてパネルが役割し得るように、パネル１２を補強し、パネルがパン内で水平方向に配置された状態にある場合に垂直方向の荷重を支えるのを支援する。パン２８は、出口(図示せず)に接続するためにマニホルド４２に流れ出る１つ以上の水平トラフ４１を含むパン排水システムを含む。
【００４３】
後部４４ａ及び前部４４ｂを含むリフトアーム４４は、各パネルの下で第１の回転軸２９に対して垂直に位置し、実質的に水平な配置から、第１の回転軸２９と平行な実質的に水平な第２の回転軸４６を中心に上方へと回転するために、パン２８上で枢動可能に支持されている。動力駆動装置４８がパン２８に固定されている。被駆動部材５０は近位側が動力駆動装置４８に接続され、遠位側がリフトアーム４４の後部４４ａに接続されている。駆動装置４８を作動させると、リフトアーム４４の後部４４ａが前方に引き出され、前部４４ｂが第２の軸４６上で上方に回転されて、パネル１２を第１の軸２９上で上方に回転させて起立直立位置へと持ち上げる。各パネル１２の動力駆動装置４８のためのコントローラは、パネルの駆動装置を所定の順番で作動させる。
【００４４】
図１を参照して、端部パネルｌ２ｂは、接触面を呈する直立壁６６に隣接する。端部パネル１２ｂは、両パネル側面２２、２４にガスケット５２を有する。パネル１２ｂの側面２４にあるガスケットは、シールするように壁６６をワイプする。図２〜図５を参照して、端部パネルｌ２ｂは、別のパネル１２（図２〜図５のパネルl２a）に隣接するパネル側面２２にガスケット５２を有する。端部パネル１２ｂの側面２２にあるガスケットは、パネル側面に取り付けられるガスケットホルダー５４によって保持される(図２〜図５)(同様のガスケットホルダーが、壁６６に隣接する側面２４にある見えないガスケット５２を保持する)。ガスケット５２は、パネルｌ２ｂの側面２２の長さに平行に延び（図２〜図５参照）、壁６６に隣接する見えない側面２４でも同様に延びる。端部パネルではない図１〜図５の実施形態にある各パネル１２も、そのようなパネルの他方の側面２４(すなわち、ガスケットが取り付けられる側面２２以外の側面)に接触面５６を有する。これは、１つのパネルが、（ａ）他方のパネルに隣接するパネル側面に取り付けられるガスケットであって、該ガスケットはパネル側面の長さに沿うガスケットと、（ｂ）ガスケットが取り付けられる側面以外の他方の側面にある接触面であって、接触面はそのような他方の側面の長さに及ぶ、接触面とを有する、上述した「第１の構成」である。図２〜図５では、隣接するパネル１２ｂ及び１２ａの左側及び左側の部分を示す。ガスケット５２を保持する側面２２は、パネル１２ｂの右側にあり、接触面５６を呈する側面２４は、パネル１２ａの左側にある。
【００４５】
パネルｌ２ａ、ｌ２ｂ、及びｌ２ｃは連続して（１２ｃは１２ａの前に、１２ａは１２ｂの前に）起立されるため（パネル１２ｃは、図１ではパネルの上面図を提供するために下げられているものの、起立されると仮定する）、パネルｌ２ａの接触面５６は、隣接するパネルｌ２ｂのガスケット５２が起立される前に起立されるため、パネルｌ２ｂが起立された場合に、隣接するパネルｌ２ｂのガスケット５２の接触のための接触面５６を呈する。パネル１２ａの接触面５６に対するパネル１２ｂのガスケット５２の圧力は、パネルの底面１６の後ろで食い止められる水の静水力に抵抗し、パネル１２ａ及び１２ｂの間を通る水に対して正のシールを提供する。連続して起立すること（sequencing）は、最初に起立されるパネルｌ２ａのわずか数秒後に二番目に起立させるパネルｌ２ｂを起立させることができ、接触面５６がガスケット５２との係合のために存在するように、最初に起立されるパネルｌ２ａが二番目に起立されるパネルｌ２ｂの直前に起立されれば十分である。パネル１２ａ及び１２ｂ等の隣接するパネルは、連続して順次起立させる際に協働してそれらの間でシール閉鎖（sealing  closure）を形成する。一連の隣接するパネルは、上述の駆動機構を作動させるコントローラを含む回路において「ボタンを押す」ことによって直立位置に起立させることができるため、洪水の侵入から保護される領域に沿って壁を実際に「上げる（zipping-up）」ことができる。
【００４６】
図２〜図５に示すガスケット５２は、前方ワイピング側５８及び圧力印加背面６０を有する(圧力印加背面６０は、図３〜図５で見ることができる)。図１〜図５の実施形態における端部パネル以外の各パネル１２は、ガスケット５２が取り付けられる側面２２とは反対の側面(側面２４)に平坦な接触面５６を有する。パネル１２ａ、１２ｂを連続して起立させる際、パネル１２ｂのガスケット５２の前方ワイピング側５８は、ガスケット５２の後ろの圧力印加背面６０が隣接するパネル１２ａの平坦な接触面５６に前方ワイピング側５８を押し付けることで、隣接するパネル１２ａの接触面５６をワイプする。
【００４７】
図２〜図５において、隣接するパネルｌ２ａの上面１４は、６２でパネル１２ｂのガスケット５２及びガスケットホルダー５４の上を延在し、パネルｌ２ａ、ｌ２ｂがパン２８内で下げられた位置にある場合に、がれきが隣接するパネルｌ２ａ、ｌ２ｂの間に落ちるのを防止する。例示の実施形態では、ワイピングガスケットに替えて、接触面５６は、パネル１２ａの側面２４の一部であるとともに、パネル１２ａの側面２４から延びるフランジ面であって、フランジ面は延長部６２と同じ位置を占有し、ガスケット５２は、パネル１２ａの側面２４の一部であるとともに、パネル１２ａの側面２４から延びるそのようなフランジ面に押し付けられた場合に、圧縮シールを形成する圧縮ガスケットであり得る。２つの種類のガスケットを区別するために、ワイピングガスケットに参照符号５２ａを付し、圧縮ガスケットに参照符号５２ｂを付す。
【００４８】
例示の実施形態では、図５に示すように、パネル１２ａの接触面５６は、接触面５６を保持する側面２４と底面１６との間の接合部で、パネル１２ａの底面１６の方に傾斜し、ガスケット５２の前方ワイピング側５８が隣接するパネル１２ａの接触面５６と接触させるようにするガイド６４を提供する。
【００４９】
次に、図６〜図９を参照して、図６における直線状に配列されたパネルグループ１３は、地面１１にある支持パン２８内で実質的に水平な状態にある。支持パン２８内にあるパネルグループ１３の内側パネル１２のそれぞれは、隣接するパネル１２の接触面５６と接触するガスケット５２を有する。パネルグループ１３の両端には、地面に固定される直立支持構造６６があり、図示のように、支持構造６６は、高架の高速道路等の頭上構造のための支持ピラーである。支持構造６６は、隣接するパネル１２が直立位置にある場合に（図７）、構造６６に隣接するパネル１２と同じ高さの接触面５６（図６）を有する。直立構造６６に隣接するパネル１２の側面は、直立構造６６の接触面５６とシール接触するためのガスケットを取り付ける。図７では、第１のパネルグループ１３−１がパン２８から直立位置に起立される。これは、グループ１３−１のパネル１２を次々に連続して起立させるか又は全てを同時に起立させることにっよって行われ得る。全て同時にする場合、パネルグループ１３−１の内側パネル１２のそれぞれは、支持パン２８に存在する場合に、隣接するパネル１２の接触面５６に接触するガスケット５２を有していたため、ガスケット５２は、グループ１３−１のパネル１２が全て同時に起立されたときに接触面５６と接触しており、その接触を保持していた。
【００５０】
図８において、第２のパネルグループ１３−２は、パン２８から直立位置へと同時に起立される。図９では、グループ１３−１及び１３−２の全てのパネルが隆起されている。バリアの水に面する側はバリアの後ろ側にある（１１ａ）。バリア１０の乾燥側はバリアの前側にある（１１ｂ）。
【００５１】
次に、図１０〜図２３を参照して、上記で概して「第２の構成」と言及した構成に適合する例示の実施形態を示す。図１０〜図２３の例示の実施形態は、端壁６６の間にある直線状に配列された３つのパネルを示す。これは、第２の構成におけるパネルの動作原理を説明するために、「第２の構成」のための最低限の数のパネルに過ぎない。「第２の構成」にあるパネルの長い直線状配列は、左側側面及び右側側面の双方に接触面を有するパネルの間で隣接する左側側面及び右側側面の双方にガスケット５２を有するパネルを有する。端壁６６でさえも必要ではない。「第２の構成」のパネルは、「第１の構成」の一連のパネルの隣接するパネル１２にシールでき、いずれの構成のパネルも曲線パネル配置のパネルの隣接するパネルにシールできる。
【００５２】
図１〜図５において、パネル１２ｂでガスケット５２を保持する側面は側面２２であり、パネル１２ａの接触面は側面２４にある。図１〜図２３の例示の実施形態の以下の説明では、ガスケット５２を保持するパネルの側面も側面２２と呼び、接触面を呈するパネルの側面を側面２４と呼ぶ。しかしながら、１つのパネル１２がガスケットを保持する側面２２及び接触面を呈する側面２４の両方を有する図１〜図５の実施形態とは異なり、図１０〜図２３の例示の実施形態では、ガスケットを保持するパネルは、ガスケットを保持する２つの側面２２を有し、（図１０〜図２３に示すように、両側面にガスケットを保持するパネルに隣接する少なくとも１つの側面に接触面を有することを特徴とする）直線状配列の端部パネルを除いて、接触面を呈するパネルは、２つの側面２４を有する。端部パネルは、図１〜図２３の壁６６等の直立構造６６をシールするためのガスケットを有することができる。各ガスケット保持パネルのそれぞれのために、２つの接触面パネルがある。図１０〜図２３の例示の実施形態のパネル１２を図１〜図５の例示の実施形態のパネルから区別するために、図１０〜図２３のパネルは、参照番号１２に第２の数字が付加されている。２つの側面２４に接触面を呈するパネルはパネル１２−１及び１２−２であり、ガスケットを保持し、２つの側面２２を有するパネルはパネル１２−３である。
【００５３】
次に図１０〜図２３の例示の実施形態を参照して、直線状配列の複数の隣接するパネル１２−１、１２−２、及び１２−３を示す。各パネルは、上面１４、底面１６、前端１８、後端２０及び側面２２、２４を有し、側面２２、２４の双方は海岸線に対して仮想の投影交差角度（imagined  projected  intersecting  angle）を有し、パネルの後端２０から少なくとも前端１８の近くまで及ぶ長さで有する。図１１を参照して、パネル１２−１、１２−２及び１２−３は、支持パン２８内で実質的に水平に位置する下げられた位置にある。パネル１２−１、１２−２及び１２−３は、パネルの後端２０で実質的に水平な第１の回転軸２９上でヒンジ回転可能であり、パン２８から直立起立位置へと上方に回転する。直立起立位置では、浸入する洪水がパネルの底面１６で食い止められる。壁６６の形態の直立構造は、端部パネル１２−１及び１２−３に隣接して位置する。
【００５４】
図１〜図５の実施形態の場合と同様に、パネル１２−１、１２−２及び１２−３を起立させるための機構４３は、各パネルに対して、パネルの下で第１の回転軸２９に垂直に位置するとともに、第１の回転軸２９と平行な実質的に水平な第２の回転軸４６を中心に下げられた位置から上方に回転するために支持パン２８で枢動可能に支持されるリフトアーム４４を含む。リフトアーム４４は、後部４４ａ及び前部４４ｂを有する。支持パン２８に固定される動力駆動装置４８（好適には油圧ラム）は、動力駆動装置４８に近位側が接続された被駆動部材５０を駆動する。被駆動部材５０は、遠位側がリフトアーム４４の後部４４ａに接続され、各駆動装置４８の作動時に、後部４４ａが前方に引き出され、前部４４ｂが第２の軸４６上で上方に回転されてパネル１２−１、１２−２及び１２−３を持ち上げて、第１の軸２９上で上方に回転させ、図１０に示す起立位置に動かす。
【００５５】
図１０〜図２３の実施形態では、リフトアーム４４の前部４４ｂは、パネル１２−１、１２−２又は１２−３の底面１６に接続されていない。前部４４ｂの端部４４ｃには低摩擦の摩擦面ｌ７ａが取り付けられ、パネルを起立させる間に端部４４ｃがパネルと接触するパネル１２−１、１２−２及び１２−３の底面１６は、底面１６に沿って取り付けられる低摩擦の摩擦面ｌ７ｂを有する。摩擦面ｌ７ｂは、パネル１２−１、１２−２又は１２−３を起立させる際に端部４４ｃが移動する範囲と少なくとも同じ長さを有する。摩擦面ｌ７ａ、ｌ７ｂは、端部４４ｃとパネルの底面１５との摩擦接触を低減させることによって起立動作を促進すると同時に、摩擦面が存在しない場合に、海辺の環境においてパネルの劣化につながり得る接続されていない端部４４ｃによってパネルの底面１６が損なわれるのを防止する。
【００５６】
例示の実施形態では、パネル１２−１、１２−２及び１２−３は、支持パン２８が位置する陸地１１の水に面する側面１ｌａよりも水位が高く上昇することに受動的に対応して浮揚し、浮力により第１の軸２９を中心に上方へと回転する。脅威のある暴風雨の前にパネルを能動的に起立させるために機構４３を動作させることが動力故障で利用できない場合でも、パネルは受動的にではあるが、起立させることができる。浮揚機能は、パネルが完全ではなく部分的にしか起立されてない場合に動力故障が起きた場合にとりわけ有用である。部分的に起立されたパネルの後ろで貯められた水は、パネルが完全直立位置にくるように浮揚させて、流体静力学的にパネルの起立及び閉鎖を続ける。この閉鎖は、リフトアーム４４の前部４４ｂがパネル１２−１、１２−２又は１２−３の底面１６に接続されていないためにできることである。パネル１２−１、１２−２及び１２−３がリフトアーム４４の前部４６ｂに接続されている場合、その接続によってもはや動力が与えられていないパネルを、起立が完全でない状態で保持し、持ち上げを浮揚又は流体静力学的に完了させることの妨げとなる。
【００５７】
パン固定プレート３４で支持パン２８に接続されるとともに、パネル固定プレート３２で各パネルの底面１６に接続される張力部材３０は、起立されたパネルの底面で食い止められる水の静水圧によって荷重を加えられた場合に、パネルが直立位置を越えて回転するのを防止し、中間の支持ポストなしで長く並べられるパネルを可能にする。
【００５８】
パネル１２−１及び１２−２の側面２４にある接触面５６は、側面２４の長さに及ぶ。上述したように、接触面は側面であり得る(その場合、ワイピングシール５２ａがパネル１２−３の側面２２で用いられる)。図１３〜図２３の実施形態では、接触面５６は、上面１４と実質的に同一平面にあり、側面２４の上で突出するパネル１２−１及び１２−２の上面１４の延長部であり得る。図示のように、接触面５６は、側面２４から横方向に突出する突起５６ａであり、それらは上面１４と実質的に平行である。パネル１２−１と１２−２との間で隣接するパネル１２−３は、両側面２２に取り付けられる圧縮ガスケット５２ｂを有する。ガスケット５２ｂは、パネル１２−３の側面２２の長さに及ぶ。図１〜図９の例示の実施形態と同様に、図１０〜図２３の例示の実施形態の端部パネル１２−１及び１２−２は、壁６６の接触面に対向する側の側面２２にのみガスケット５２ａを有する。
【００５９】
図１３において、パネル１２−１は、機構２８によって完全に起立され(パン２８のドレイントラフ４１に取り付けられた図１０に示す機構２８は、アセンブリ１０の内容をより良く示すために図１３−図１８では示していないが、図１３−図１８にも存在する)、パネル１２−２が機構２８によって起立される（図示されていないが存在する）。パネル１２−１及び１２−２は、少なくとも１つの側面２４に接触面５６ａを有し(図示のパネル１２−１及び１２−２は端部パネルであり、接触面側以外の側面にガスケットを有する)、任意の順番で又は全て同時に起立できるが、双方のパネルはパネル１２−３が完全に直立になるように起立される前に起立される。図１４では、パネル１２−１及び１２−２の双方が完全に起立され、パネル１２−３は支持パン２８内にある。図１３及び図１４は、バリア１０の水に面する側からの図である。図１５は、パネル１２−１及び１２−２が起立された後で起立された圧縮ガスケット５２ｂを保持するパネル１２−３を示し、バリア１０の乾燥側から見たものである。図１６は、パネル１２−１及び１２−２が起立された後で起立された圧縮ガスケット５２ｂを保持するパネル１２−３を示し、バリアの水に面する側から見た図である。図１７及び図１８は、パネル１２−３が完全に起立された場合に、圧縮ガスケット５２ｂをパネル１２−１及び１２−２の接触面５６ａと係合させるために接触面５６ａを有するパネル１２−１及び１２−２の双方が起立されるように、パネル１２−１が起立され、パネル１２−２は起立途中であり、パネル１２−３も起立されているがパネル１２−３よりも後である連続起立を示す。
【００６０】
図１９は、パネル１２−３の圧縮ガスケット５２ｂに対するパネル１２−１の接触面５６aの提示を示す。図２０は、パネル１２−３の圧縮ガスケット５２ｂに対するパネル１２−１及び１２−２の接触面５６ａの提示を示す上面図である。図２１は、パネル１２−３の圧縮ガスケット５２ｂによって押圧されたパネル１２−１の接触面５６ａの拡大上面図であり、側面２２にある圧縮ガスケット５２ｂのマウント５４を示す。図２２は、直立壁６６に対してシールする端部パネル１２−１のワイピングシール５２ａの閉鎖を示す部分上面図である。図２３は、バリア１０の水に面する側から見た、水に対する連続的なシールバリアで起立されたパネル１２−１、１２−３及び１２−２を示し、機構２８の描写を再開する。
【００６１】
次に図２４〜図２９を参照して、図２４は、内側曲線の海岸線に沿うように、内側曲線状に配置された４つの収容された入れ子状パネル１２−１ａ、l２−２a、１２−３a及びｌ２−４aの透視斜視図である。内側曲線の中心は、洪水用バリア１０の水に面する側１ｌａである紙面の右側にある。透視図は、パネルが起立される順番で、あるパネルが隣接するパネルに重ねられていることを示す。パネル１２−ｌａはパネルｌ２−２ａと重なり、パネルｌ２−２ａはパネル１２−３ａと重なり、パネル１２−３ａはパネルｌ２−４ａと重なる。図２５は、図２４の入れ子状のパネルの上面透視図である。
【００６２】
図１〜図５の実施形態と同様に、図２４〜図２９の実施形態のパネル１２−１ａ、１２−２ａ及び１２−３ａは上述した「第１の構成」のパネルであり、パネルは、別のパネルに隣接するパネル側面に取り付けられたガスケットを有し、ガスケットが取り付けられた側面とは別の他方の側面に接触面を有する。従って、パネル１２−１ａ、１２−２ａ及び１２−３ａ等は、上述した「第２の構成」のパネルである、図１０〜図２３に関連して説明したパネル１２−１、１２−２及び１２−３と同じではない。アセンブリ１０のパネル要素を示す参照番号「１２」を維持しながら、この違いを示すために、図２４〜図２９の実施形態の−１、−２、−３、または−４の末尾に「ａ」が追加されている。しかしながら、図２４〜図２９の実施形態では、ガスケット５２が、二番目に起立されるパネルｌ２ｂの右側の側面２２（図２における右側）に嵌合する図１〜図５の例示の実施形態とは異なり、ガスケット５２は、パネルの左側の側面に嵌合し、接触面５６は、右側の側面にある。図２４〜図２９の「第１の構成」実施形態におけるこの違いを示すために、パネルの左側を参照番号２３で示し、右側（接触面側）を参照番号２５で示す。パネルが内側曲線状に配置されている図２４〜図２９の実施形態では、右側の側面２５は、上面１４に対して鋭角を成す接触面を有する。この接触面は、参照番号５６ｃで示す。
【００６３】
パネルｌ２−ｌａ、ｌ２−２ａ、ｌ２−３ａ及びｌ２−４ａのそれぞれは、（ａ）左側のパネル側面２３に取り付けられるガスケット５２であって、ガスケットは左側パネル側面23の長さに沿う、ガスケット５２と、（ｂ）そのようなパネルの他方(右側)の側面２５で上面１４に対して鋭角を成す接触面５６ｃであって、接触面５６ｃは、このような他方の側面２５の長さに及ぶ、接触面５６ｃとを有する隣接パネルである。図１〜図５の実施形態におけるパネル１２は、最初にｌ２ｃ、次いでｌ２ａ、次いでｌ２ｂという順番で右から左に連続して起立されるが、図２５〜図２９の実施形態では、パネルは、１２−１ａ、１２−２ａ、１２−３ａ及び１２−４ａの順番で、左から右に連続して起立される。パネルｌ２−２ａに重なるパネルｌ２−ｌａは最初に直立に起立されて、右側の側面２５にある接触面５６ｃを呈する。パネルｌ２−２ａが完全に直立に起立されると、パネルｌ２−２ａの左側の側面２３のガスケット５２がパネルｌ２−ｌａの右側の側面２５の接触面５６ｃに押し付けられて、パネルｌ２−ｌａとパネルｌ２−２ａとの間の接合部をシールする。図２４〜図２９の実施形態におけるガスケット５２は、ワイピングガスケット５２ａ又は圧縮ガスケット５２ｂであり得る。パネルｌ２−２ａが起立されると、三番目に起立されるパネルｌ２−３ａの左側の側面２３にあるガスケット５２と接触するために右側側面２５にある接触面５６ｃを呈し、パネルｌ２−３ａが起立された場合、四番目に起立されるパネルｌ２−４ａの左側側面２３にあるガスケット５２と接触するために右側側面２５の接触面５６ｃを呈する。
【００６４】
図２６は、図２５の完全に起立されたパネルｌ２−ｌａ、ｌ２−２ａ、ｌ２−３ａ及びｌ２−４ａの上面図であり、接触面５６ｃ及び機構４３、張力アーム３０、ドレイントラフ４１を示し、これらは全ては１つの支持パン２８内にある。水に面する側は１ｌａであり、保護される乾燥側は１ｌｂである。
【００６５】
図２７は、洪水用バリアの左端の水に面する側から見た、完全に起立された図２４〜図２６のパネルの等角図である。図２８は、洪水用バリアの左端の乾燥側から部分的に見た図２７のパネルの等角図である。図２９は、洪水用バリアの右端の濡れ側から見た、図２８のパネルの等角図である。図２４〜図２９に示す内側曲線配列は、右側に９０度旋回して延びているが、配列は、これよりも旋回が少ない内側曲線又は旋回が最大で約１８０度であるより大きい内側曲線であり得るが、旋回の半径は保護される場所に依拠する。
【００６６】
次に、図３０〜図３７を参照して、外側曲線の周りを囲むために外側曲線配列にあるアセンブリの例示の実施形態を示す。図３０は、外側曲線状に配置された４つの収容パネルｌ２−ｌｂ、ｌ２−２ｂ、ｌ２−３ｂ及びｌ２−４ｂの側面斜視図である。支持ハウジングは、左に９０度旋回して径方向に広がる別個のパン２８であり、パンの基部のリップで第１の回転軸２９の後方にわずかに重なる点を除き広がっている。曲線の中心は、紙面の左側にあり、洪水用バリアの乾燥側にある。図３１は、図３０の収容されたパネルの平面図である。パネルｌ２−ｌｂ、ｌ２−２ｂ、ｌ２−３ｂ及びｌ２−４ｂは、パネル１２−ｌｂ、ｌ２−２ｂ、ｌ２−３ｂ及びｌ２−４ｂが傾斜した接触面５６ｃを有さない点を除いて、パネルｌ２−ｌａ、ｌ２−２ａ、ｌ２−３ａ及びｌ２−４ａと同様である。パネルｌ２−ｌｂ、ｌ２−２ｂ、ｌ２−３ｂ及びｌ２−４ｂの接触面は上面１４に対して垂直であり、参照番号５６ｂによって示される。図３２に示す接触面５６ｂ及びガスケット５２ａは、接触が確立された状態の図３６でより良好に見られる。１２−１ａ、１２−２ａ、１２−３ａ及び１２−４ａとの接触面の違いを示すために、参照符号１２の末尾−１、−２、−３、−４に「ｂ」が付加されている。図３０〜図３７の例示の実施形態は、図１〜図９及び図２４〜図２９の例示の実施形態と同様に「第１の構成」であり、一方のパネルは、（ａ）他方のパネルに隣接するパネル側面に取り付けられるガスケットであって、ガスケットはパネル側面の長さに沿う、ガスケットと、（ｂ）ガスケットが取り付けられる側面とは別の他方のパネル側面にある接触面であって、接触面はそのような他方の側面の長さに及ぶ、接触面とを有する。図２４〜図２９と同じである図３０〜図３７の参照番号は、図２４〜図２９の実施形態と同じ構造を示す。図２４〜図２９の例示の実施形態と同様に、図３０〜図３７の例示の実施形態は、１２−１ｂ、１２−２ｂ、１２−３ｂ及び１２−４ｂの順番で順次起立させる。パネル１２−ｌｂが最初に直立に起立され、右側の側面２５に接触面５６ｂを呈する。次にパネルｌ２−２ｂが完全に直立に起立され、パネルｌ２−ｌｂの右側側面２５の接触面５６ｂにパネルｌ２−２ｂの左側側面２３にガスケット５２ａを押圧し、パネルｌ２−２ｂ、パネルｌ２−３ｂ及びパネルｌ２−４ｂを介して、パネルｌ２−ｌｂとパネルｌ２−２ｂ等との間の接合部をシールする。
【００６７】
図３２は、図３０に収容されている起立パネルの平面図であり、海岸線の外側コーナー又は点の周りを囲むために、図３１にも見られるようなハウジングの拡大を示す上面図である。内側曲線パネルｌ２−ｌａ、ｌ２−２ａ、ｌ２−３ａ及びｌ２−４ａの場合のように、実施形態は、９０度の旋回で延びる曲線、外側曲線ではあるが、係る構成は、これよりも旋回が少ない外側曲線又はこれよりも旋回が大きく最大で約１８０度の外側曲線であり得るが、旋回の半径は保護される場所に依拠する。
【００６８】
図３３は、洪水用バリアの中間の水に面する側から見た、図３２の起立されたパネルの等角図である。図３４は、洪水用バリアの左端の水に面する側から見た、図３２の起立されたパネルの等角図である。図３５は、洪水用バリアの右端の水に面する側から見た、図３２の起立されたパネルの等角図である。図３６は、図３２〜図３５のパネルの隣接する端部パネルのワイピングシール閉鎖を示す部分斜視図である。図３７は、洪水用バリアの中間の乾燥側から見た図３６の起立されたパネルの等角図である。
【００６９】
以上から、説明した例示の実施形態は、陸地の洪水を防止する連続的なバリアに起立可能な通行面を陸地に提供することが分かる。洪水用バリアアセンブリの上面は、常に乾燥側に面することが分かる。
【００７０】
操作方法は、（ａ）水辺の海岸線の近くの陸地１１に一連の複数の洪水用バリアアセンブリ１０を提供するステップであって、洪水用バリアアセンブリ１０は、陸地の表面の下に位置する少なくとも１つの支持パン２８と、複数の隣接パネル１２とを含み、各パネルは、上面１４、底面１６、前端１８、後端２０及び側面２２、２４を有し、側面２２、２４は海岸線に対して仮想投影交差角度を有し、パネル１２の後端２０から少なくとも前端１８の近くに及び長さを有し、パネル１２は下げられている場合に支持パン２８内にあり、パネルの後端２０実質的に水平な第１の回転軸２９でヒンジ回転可能であり、パン２８から直立起立位置へと上方に回転され、直立起立位置では、侵入する洪水は、パネル１２の底面１６で食い止められ、隣接するパネル１２は（ｉ）「第１の構成」、（ｉｉ）「第２の構成」又は（ｉｉｉ）「第３の構成」のいずれかを有し、「第１の構成」では一方のパネル１２は、(a)隣接するパネルに隣接するパネル側面２２又は２３に取り付けられるガスケット５２であって、ガスケット５２はパネル側面２２又は２３の長さに沿う、ガスケット５２と、（ｂ）ガスケット５２が取り付けられる側面２２又は２３以外の当該パネルの他方の側面２４又は２５にある接触面５６であって、接触面５６は他方の側面２４の長さに及ぶ、接触面５６とを有し、「第２の構成」では、第１のパネル（例えば、１２−３）が、第１のパネル１２−３に隣接する２つのパネル（例えば、１２−１及び１２−２）を分離し、２つのパネル１２−１及び１２−２は、第１のパネル１２−１に隣接する少なくとも１つの側面２４に接触面５６を有し、そのような接触面５６は、そのような側面２４の長さに及び、第１のパネル１２−３は、ガスケット５２が取り付けられる側面２２の長さに及ぶガスケット５２をその側面２２のそれぞれに有し、「第３の構成」は、第１の構成の1つ以上のパネル１２と第２の構成の１つ以上のパネル１２との組み合わせを含む、ステップと、（ｂ）パネル１２を実質的に水平な配置から直立位置へと所定の順序で起立させるステップであって、パネル１２の接触面５６に対するガスケット５２の圧力は、パネル１２の底面の後ろで食い止められる水の静水力に抵抗し、パネル１２の間を通る水に対して正のシールを提供し、複数の隣接パネル１２は直立位置に起立された場合に、パネル１２の上面１４側で、陸地１ｌｂの洪水を防止する連続した水バリアを提供する。
【００７１】
前述の操作方法は、パネル１２が、（ｉ）所定の順番で別々に又は（ｉｉ）隣接パネル１２のグループ１３が所定の順番で全て同時に起立させられるパネル１３の隣接グループとして、パンから直立位置に起立され得る。（ｉ）又は（ｉｉ）のいずれかの場合に、第１のパネル１２又はパネル１３の第１のグループが、第２の隣接パネル１２又はパネル１３の隣接グループが直立位置に起立される前に直立位置に起立され、起立された第１のパネル１２又はパネル１３のグループは、二番目に起立される第２のパネル１２又は二番目に起立されるパネル１３のグループの隣接パネルのガスケット５２の接触のための接触面５６を呈し、底面１６の後ろで食い止められる水からの静止圧は、最初に起立された第１のパネル１２又はパネル１３のグループの接触面56に対してガスケット５２を押し付け、パネルの間を通る洪水の侵入に対して正のシールを提供する。第１の構成におけるパネル１２のための所定の順番は、個々のパネル１２又はパネル１３のグループを次々連続して起立させ得る。第２の構成におけるパネル１２のための所定の順番は、少なくとも一方の側面２４に接触面５６を有するパネル１２のうちの少なくとも２つを、両側面２２にガスケット５２を有する隣接パネルを少なくとも２つのパネルの間にくるように起立させる前に起立させ得る。
【００７２】
前記操作方法によれば、パネル１２は直立に起立された場合に直線状に配列されるか若しくは曲線状に配列されるか又は一部のパネル１２は直立に起立された場合に直線状に配列されるか又は一部のパネル１２は直立に起立された場合に曲線状に配列され得る。
【００７３】
パネル１２が直立状態にある場合に直線状に配列される操作方法では、支持パン２８内にあるパネルのグループ１３の内部の１つの又は複数のパネル１２のそれぞれは、隣接するパネル１２の接触面５６に接触するガスケット５２を有する。パネルは、支持パン２８から直立位置に全て同時に起立され得る。底面１６の後でブロックされる水からの静止圧は、ガスケット５２をパネルのグループ１３の接触面５６に押し付けて、グループ１３のパネル１２の間を通る洪水の侵入に対して正のシールを提供する。
【００７４】
開示された主題は、制限的ではなく例示的にみなすべきであり、添付の特許請求の範囲は、本発明の真の範囲に含まれる全ての変更、強化及び他の実施形態を法律で許容される最大限カバーすることを意図しており、本発明の真の範囲は、本発明の例示の実施形態の前述の詳細な説明によって制限されない、以下の特許請求の範囲及びそれらの均等物を最も広い許容範囲で解釈することによって決定される。
【図１】
2021511455.tif 000003
【図２】
2021511455.tif 000004
【図３】
2021511455.tif 000005
【図４】
2021511455.tif 000006
【図５】
2021511455.tif 000007
【図６】
2021511455.tif 000008
【図７】
2021511455.tif 000009
【図８】
2021511455.tif 000010
【図９】
2021511455.tif 000011
【図１０】
2021511455.tif 000012
【図１１】
2021511455.tif 000013
【図１２】
2021511455.tif 000014
【図１３】
2021511455.tif 000015
【図１４】
2021511455.tif 000016
【図１５】
2021511455.tif 000017
【図１６】
2021511455.tif 000018
【図１７】
2021511455.tif 000019
【図１８】
2021511455.tif 000020
【図１９】
2021511455.tif 000021
【図２０】
2021511455.tif 000022
【図２１】
2021511455.tif 000023
【図２２】
2021511455.tif 000024
【図２３】
2021511455.tif 000025
【図２４】
2021511455.tif 000026
【図２５】
2021511455.tif 000027
【図２６】
2021511455.tif 000028
【図２７】
2021511455.tif 000029
【図２８】
2021511455.tif 000030
【図２９】
2021511455.tif 000031
【図３０】
2021511455.tif 000032
【図３１】
2021511455.tif 000033
【図３２】
2021511455.tif 000034
【図３３】
2021511455.tif 000035
【図３４】
2021511455.tif 000036
【図３５】
2021511455.tif 000037
【図３６】
2021511455.tif 000038
【図３７】
2021511455.tif 000039
【国際調査報告】
2021511455.tif 000040